(57)【特許請求の範囲】
【請求項１】
画像データ取り込み手段により取り込んだ電子部品の画像データに基づいて当該電子部品のリード幅を検出する位置（以下「リード幅検出位置」という）を決定する電子部品のリード幅検出位置決定方法において、
前記電子部品の画像データに基づいて当該電子部品のリード幅を検出する処理を当該リードの長さ方向に沿って繰り返すことで、当該リードの長さ方向に関するリード幅検出値のプロファイルを作成するプロファイル作成処理と、
前記リード幅検出値のプロファイルに基づいてリード幅検出値の差分が連続して所定のしきい値以内となるリード幅安定区間を検出するリード幅安定区間検出処理と、
前記リード幅安定区間内でリード幅検出位置を決定するリード幅検出位置決定処理と
を含むことを特徴とする電子部品のリード幅検出位置決定方法。
【請求項２】
前記リード幅安定区間検出処理で、１つのリードについて複数のリード幅安定区間を検出したときには最も長いリード幅安定区間のみを有効なリード幅安定区間とすることを特徴とする請求項１に記載の電子部品のリード幅検出位置決定方法。
【請求項３】
前記リード幅安定区間検出処理で、リード幅検出値の差分が連続して所定のしきい値以内となる区間においてリード両側のエッジ画像の明瞭度合を評価してその明瞭度合が所定値以下となる区間を前記リード幅安定区間から除外することを特徴とする請求項１又は２に記載の電子部品のリード幅検出位置決定方法。
【請求項４】
前記リード幅検出位置決定処理で、前記リード幅安定区間の中央の位置をリード幅検出位置として決定することを特徴とする請求項１乃至３のいずれかに記載の電子部品のリード幅検出位置決定方法。
【請求項５】
請求項１乃至４のいずれかに記載の電子部品のリード幅検出位置決定方法により決定したリード幅検出位置を記憶手段に記憶しておき、以後、画像データ取り込み手段により取り込んだ同種の電子部品のリード幅を検出する際に、前記記憶手段に記憶されているリード幅検出位置でリード幅を検出することを特徴とする電子部品のリード幅検出方法。
【請求項６】
画像データ取り込み手段により取り込んだ電子部品の画像データに基づいて当該電子部品のリード幅を検出する位置（以下「リード幅検出位置」という）を決定する電子部品のリード幅検出位置決定装置において、
前記電子部品の画像データに基づいて当該電子部品のリード幅を検出する処理を当該リードの長さ方向に沿って繰り返すことで、当該リードの長さ方向に関するリード幅検出値のプロファイルを作成するプロファイル作成手段と、
前記リード幅検出値のプロファイルに基づいてリード幅検出値の差分が連続して所定のしきい値以内となるリード幅安定区間を検出するリード幅安定区間検出手段と、
前記リード幅安定区間内でリード幅検出位置を決定するリード幅検出位置決定手段と
を含むことを特徴とする電子部品のリード幅検出位置決定装置。
【請求項７】
前記リード幅安定区間検出手段は、１つのリードについて複数のリード幅安定区間を検出したときには最も長いリード幅安定区間のみを有効なリード幅安定区間とすることを特徴とする請求項６に記載の電子部品のリード幅検出位置決定装置。
【請求項８】
前記リード幅安定区間検出手段は、リード幅検出値の差分が連続して所定のしきい値以内となる区間においてリード両側のエッジ画像の明瞭度合を評価してその明瞭度合が所定値以下となる区間を前記リード幅安定区間から除外することを特徴とする請求項６又は７に記載の電子部品のリード幅検出位置決定装置。
【請求項９】
前記リード幅検出位置決定手段は、前記リード幅安定区間の中央の位置をリード幅検出位置として決定することを特徴とする請求項６乃至８のいずれかに記載の電子部品のリード幅検出位置決定装置。
【請求項１０】
請求項６乃至９のいずれかに記載の電子部品のリード幅検出位置決定装置により決定したリード幅検出位置を記憶する記憶手段と、
画像データ取り込み手段により取り込んだ同種の電子部品のリード幅を検出する際に前記記憶手段に記憶されているリード幅検出位置でリード幅を検出するリード幅検出手段と  を含むことを特徴とする電子部品のリード幅検出装置。
【発明の詳細な説明】
【技術分野】
【０００１】
本発明は、画像データ取り込み手段により取り込んだ電子部品の画像データに基づいて当該電子部品のリード幅を検出する位置を自動的に決定する電子部品のリード幅検出位置決定方法及びリード幅検出方法並びにそれらの装置に関する発明である。
【背景技術】
【０００２】
近年、電子部品実装機においては、吸着ノズルで吸着した電子部品を回路基板上に搭載する際に、当該電子部品をカメラで撮像して、画像処理技術により当該電子部品を認識するようにしている。その際、リード付きの電子部品については、特許文献１（特許第２９４１６１７号公報）に示すように、予め、リード長、リードピッチ、リード幅等の部品の特徴を表すデータを電子部品画像認識用の部品データとして作成してメモリに記憶しておき、電子部品実装機の稼働中は、電子部品の画像データからリード長、リードピッチ、リード幅等を検出し、その検出データをメモリに記憶された部品データと比較して電子部品の種類を自動判別するようにしたものがある。
【０００３】
上記特許文献１には、リード幅を検出する技術が記載されている。このリード幅検出技術は、リード画像の先端から付け根にかけてリード両側のエッジ位置を連続的に検出すると共に、リード両側のエッジ位置の平均値Ｘ１，Ｘ２を算出して、この平均値Ｘ１，Ｘ２の差分からリード幅｜Ｘ１−Ｘ２｜を求めるようにしている。
【特許文献１】特許第２９４１６１７号公報（第４頁等）
【発明の開示】
【発明が解決しようとする課題】
【０００４】
一般に、電子部品のリードの形状は、真っ直ぐに延びた長方形ではなく、屈曲した立体的形状になっているため、カメラで撮像する際の照明光の反射状態が均一にならず、その結果、図６に示すように、リードの屈曲部分Ａが暗く写ってエッジと背景の画像の輝度差（濃度差）が小さくなり、エッジ位置を正確に検出できない部分が出来るものがある。しかも、リードの形状についても、図７、図８に示すように、リードの中間部や先端部に膨らみのある形状等、様々な形状のリードが存在する。
【０００５】
従って、上記特許文献１のように、リード両側のエッジ位置の平均値からリード幅を算出する方法では、屈曲した立体的形状のリードや、リードの一部に膨らみのある形状等、様々な形状のリードの幅寸法を精度良く検出することができない。
【０００６】
そこで、現在、採用されている一般的なリード幅検出方法では、リード幅を安定して検出できる部分（リードの直線部分）でリード幅を検出できるように、予め、リード幅を検出する位置を部品データとして設定するようにしている。例えば、図９に示すように、作業者がリードの先端からリード長の所定［％］にあたる位置をリード幅検出位置として設定したり、或は、作業者がリードの形状を目視によって判断してリード幅検出位置を手作業で設定するようにしている。
【０００７】
しかし、作業者がリード幅検出位置を手作業で設定する方法では、操作ミスで不適切な位置を設定してしまう可能性があると共に、目視で設定する場合は、目視の個人差によりリード幅検出位置の設定にばらつきが生じて、必ずしも最適な位置に設定されるとは限らないため、リード幅の検出精度が目視の個人差に左右されてしまう。しかも、作業者がリード幅検出位置を手作業で設定する方法では、近年の部品データ作成の自動化の要求に反し、部品データの作成に手間と時間がかかるという問題もある。
【０００８】
本発明はこのような事情を考慮してなされたものであり、第１の目的は、屈曲した立体的形状のリードや、部分的に膨らみのある形状等、リードの形状がどの様な形状であっても、そのリードの中でリード幅を安定して検出しやすい位置にリード幅検出位置を自動的に設定できるようにすることであり、また、第２の目的は、リードの形状を問わず、リード幅を安定して精度良く検出できるようにすることである。
【課題を解決するための手段】
【０００９】
上記第１の目的を達成するために、本発明は、画像データ取り込み手段により取り込んだ電子部品の画像データに基づいて当該電子部品のリード幅を検出する位置（以下「リード幅検出位置」という）を決定するものにおいて、前記電子部品の画像データに基づいて当該電子部品のリード幅を検出する処理を当該リードの長さ方向に沿って繰り返すことで、当該リードの長さ方向に関するリード幅検出値のプロファイルを作成するプロファイル作成処理と、前記リード幅検出値のプロファイルに基づいてリード幅検出値の差分が連続して所定のしきい値以内となるリード幅安定区間を検出するリード幅安定区間検出処理と、前記リード幅安定区間内でリード幅検出位置を決定するリード幅検出位置決定処理を実行するところに特徴がある。
【００１０】
このようにすれば、屈曲した立体的形状のリードや、部分的に膨らみのある形状等、リードの形状がどの様な形状であっても、そのリードの中でリード幅を安定して精度良く検出できる区間（リード幅安定区間）を自動的に検出することができ、リード幅を安定して検出しやすい位置にリード幅検出位置を自動的に設定することができる。
【００１１】
ところで、特開平６−２２３１８５号公報には、電子部品の画像データから検出したリードエッジの直線性を評価し、リードエッジのラインが直線となる部分でリードの位置を検出する技術が記載されている。この技術を応用すれば、リード両側のエッジの直線性を評価し、リード両側のエッジのラインが直線となる部分をリード幅安定区間と判断してリード幅検出位置を決定することが考えられる。
【００１２】
しかし、この方法では、リード両側のエッジのラインが平行にならない区間（つまりリード幅を安定して精度良く検出できない区間）でも、リード両側のエッジのラインが直線であれば、リード幅安定区間と誤判定されてしまい、リード幅検出位置を不適切な位置に設定してしまうという問題が発生する。
【００１３】
これに対して、本発明は、リード幅検出値のプロファイルに基づいてリード幅検出値の差分が連続して所定のしきい値以内となる区間、すなわちリード幅検出値が連続してほぼ一定となる区間をリード幅安定区間として検出するため、リード両側のエッジのラインが平行にならない区間は、リード幅検出値が連続してほぼ一定とならないことからリード幅安定区間とは判定されず、リード幅安定区間を誤判定することがない。
【００１４】
この場合、リード幅安定区間を検出する際に、１つのリードについて複数のリード幅安定区間を検出したときには、最も長いリード幅安定区間のみを有効なリード幅安定区間とすることが好ましい。このようにすれば、リード幅を最も安定して検出しやすい区間をリード幅安定区間とすることができる。
【００１５】
また、リード幅安定区間を検出する際に、リード幅検出値の差分が連続して所定のしきい値以内となる区間においてリード両側のエッジ画像の明瞭度合（エッジ画像と背景画像との輝度差等）を評価してその明瞭度合が所定値以下となる区間をリード幅安定区間から除外するようにしても良い。一般に、リードの水平に真っ直ぐに延びる直線部分では、照明光の反射状態が均一になってリード両側のエッジ画像の明瞭度合がほぼ均一に強くなるため、エッジ画像の明瞭度合が低下する部分は、照明光の反射状態が変化する屈曲部分である可能性があり、このような部分では、リード幅を安定して検出できない可能性がある。従って、リード幅検出値の差分が連続して所定のしきい値以内となる区間であっても、エッジ画像の明瞭度合が低下する区間をリード幅安定区間から除外すれば、リード幅をより安定して検出しやすいエッジ画像の明瞭な区間のみをリード幅安定区間とすることができる。
【００１６】
また、リード幅検出位置がリード幅安定区間の境界付近に位置すると、電子部品の製造ばらつきによる実際のリード幅安定区間のばらつきやリード幅検出時の位置決め誤差によって、実際にリード幅を検出する位置が実際のリード幅安定区間からはみ出してしまう可能性があり、リード幅の検出精度が低下する懸念がある。
【００１７】
そこで、リード幅安定区間の中央の位置をリード幅検出位置として決定するようにすると良い。このようにすれば、リード幅安定区間の境界とリード幅検出位置との間隔を最も長く確保することができ、リード幅安定区間内でリード幅をより安定して検出しやすい位置にリード幅検出位置を設定することができる。
【００１８】
この他、例えば、リード幅安定区間内でリード幅検出値の平均値を算出し、リード幅検出値がこの平均値と一致する位置にリード幅検出位置を設定するようにしたり、或は、リード幅安定区間の境界から当該リード幅安定区間の長さの所定［％］にあたる位置をリード幅検出位置として設定するようにしても良い等、リード幅安定区間内でリード幅検出値を決定する方法は様々な方法が考えられる。
【００１９】
以上説明した方法で決定したリード幅検出位置のデータを、リード長、リードピッチ等のデータと共に電子部品画像認識用の部品データとして記憶手段に記憶しておき、以後、画像データ取り込み手段により取り込んだ同種の電子部品のリード幅を検出する際に、前記記憶手段に記憶されているリード幅検出位置でリード幅を検出するようにすると良い。この場合、どの様な形状のリードであっても、そのリードのリード幅安定区間内にリード幅検出位置が設定されているため、リードの形状を問わず、リード幅を安定して精度良く検出することができる。
【発明を実施するための最良の形態】
【００２０】
以下、本発明を実施するための最良の形態を具体化した２つの実施例１，２を説明する。
【実施例１】
【００２１】
本発明の実施例１を図１乃至図８に基づいて説明する。
本実施例１で使用するリード幅検出位置決定装置は、電子部品の画像データからその電子部品の特徴を表す部品データを作成する部品データ作成システムを使用し、図１に示すように、パーソナルコンピュータ等のコンピュータ１１と、部品の画像データを取り込むためのカメラ等の画像データ取り込み手段１２と、キーボード、マウス等の入力装置１３と、液晶ディスプレイ、ＣＲＴ等の表示装置１４と、後述するプログラムやデータ等を記憶する記憶装置１５（記憶手段）を備えた構成となっている。
【００２２】
コンピュータ１１は、後述する図２のリード幅検出位置決定プログラムを実行することで、特許請求の範囲でいうプロファイル作成手段、リード幅安定区間検出手段、リード幅検出位置決定手段としての役割を果たし、リードの中でリード幅を安定して検出しやすい位置にリード幅検出位置を自動的に設定する。このリード幅検出位置の決定は、プロファイル作成処理と、リード幅安定区間検出処理と、リード幅検出位置決定処理を経て行われる。以下、これら各処理の内容を説明する。
【００２３】
［プロファイル作成処理］
プロファイル作成処理では、画像データ取り込み手段１２により取り込んだ電子部品のリードの画像をそのリードの幅方向に走査してリード幅方向両側のエッジを検出し、両側のエッジの間隔をリード幅として検出する処理を、リードの付け根（又は先端）から当該リードの長さ方向に所定の走査ピッチで繰り返すことで、図４に示すように、当該リードの付け根から先端までの各走査位置[pixel] のリード幅検出値Ｗ(1) ，Ｗ(2) ，……，Ｗ(n) を連ねたプロファイルを作成する。
【００２４】
尚、リード両側のエッジの検出方法は、例えば、エッジと背景の画像の輝度差（濃度差）が所定のしきい値以上であるか否かでエッジを検出すれば良く、その他、前記特許文献１、特開平６−２２３１８５号公報、特開平９−１２８５４７号公報、特開平１０−２２１０３５号公報、特開平８−１７２３００号公報、特開平８−１８４４１０号公報、特開２００２−１３４９９１号公報、特開２００４−２０５４２９号公報、特開２００５−１２３３５２号公報等に記載されたエッジ検出技術や、それ以外の公知のエッジ検出技術のいずれを用いても良い。
【００２５】
［リード幅安定区間検出処理］
リード幅安定区間検出処理では、図４のリード幅検出値のプロファイルに基づいてリード幅検出値Ｗが連続してほぼ一定となるリード幅安定区間を検出する。具体的には、図５（ａ）に示すように、リードの付け根から先端までの各走査位置[pixel] のリード幅検出値Ｗの差分［Ｗ(i-1) −Ｗ(i) ］を算出する。この後、各走査位置[pixel] のリード幅検出値Ｗの差分［Ｗ(i-1) −Ｗ(i) ］が連続して所定のしきい値以内であるか否か（つまりリード幅検出値Ｗの差分［Ｗ(i-1) −Ｗ(i) ］が連続して０付近であるか否か）を判定し、リード幅検出値Ｗの差分［Ｗ(i-1) −Ｗ(i) ］が連続してしきい値以内である区間を、リード幅検出値Ｗが連続してほぼ一定となるリード幅安定区間として検出する。
【００２６】
この際、１つのリードについて複数のリード幅安定区間を検出したときには、最も長いリード幅安定区間のみを有効なリード幅安定区間とする。これにより、リード幅を最も安定して検出しやすい区間をリード幅安定区間とすることができる。
【００２７】
［リード幅検出位置決定処理］
リード幅検出位置決定処理では、リード幅安定区間内の適宜の位置にリード幅検出位置を決定する。但し、リード幅検出位置がリード幅安定区間の境界付近に位置すると、電子部品の製造ばらつきによる実際のリード幅安定区間のばらつきやリード幅検出時の位置決め誤差によって、実際にリード幅を検出する位置が実際のリード幅安定区間からはみ出してしまう可能性があり、リード幅の検出精度が低下する懸念がある。
【００２８】
そこで、本実施例１では、リード幅安定区間の中央の位置をリード幅検出位置として決定する。このようにすれば、リード幅安定区間の境界とリード幅検出位置との間隔を最も長く確保することができ、リード幅安定区間内でリード幅をより安定して検出しやすい位置にリード幅検出位置を設定することができる。
【００２９】
この他、例えば、リード幅安定区間内でリード幅検出値Ｗの平均値を算出し、リード幅検出値Ｗがこの平均値と一致する位置にリード幅検出位置を設定するようにしたり、或は、リード幅安定区間の境界から当該リード幅安定区間の長さの所定［％］にあたる位置をリード幅検出位置として設定するようにしても良い等、リード幅安定区間内でリード幅検出値を決定する方法は様々な方法が考えられる。
【００３０】
以上説明したリード幅検出位置の決定は、コンピュータ１１によって図２のリード幅検出位置決定プログラムに従って次のように実行される。本プログラムが起動されると、まずステップ１０１で、図３に示すように、リードの付け根から先端までの全区間のリード幅検出有効フラグを初期化して有効「１」にセットする。このリード幅検出有効フラグは、各走査位置[pixel] のリード幅検出値の有効／無効を切り替えるフラグである。尚、このリード幅検出有効フラグの初期化処理は、全てのリードについて行われる。
【００３１】
この後、ステップ１０２に進み、電子部品のリード列の中から、リード幅検出位置を決定する１つのリードを選択する。この後、ステップ１０３に進み、選択したリードの付け根からリードの幅方向に走査を開始し、次のステップ１０４で、走査を１回終了する毎に走査位置[pixel] をリードの先端方向に所定の走査ピッチだけ移動させて、リードの幅方向への走査を繰り返す。
【００３２】
そして、次のステップ１０５で、今回の走査位置[pixel] のリード幅方向両側のエッジを検出した後、ステップ１０６に進み、今回の走査位置[pixel] の両側のエッジの間隔をリード幅として検出する。この後、ステップ１０７に進み、リードの先端までの走査が完了したか否かを判定し、リードの先端まで走査が完了していなければ、上述したステップ１０４〜１０６の処理を繰り返する。これにより、リードの付け根から先端までの各走査位置[pixel] のリード幅Ｗを検出して、図４に示すように、当該リードの付け根から先端までの各走査位置[pixel] のリード幅検出値Ｗ(1) ，Ｗ(2) ，……，Ｗ(n) を連ねたプロファイルを作成する。
【００３３】
この後、リードの先端まで走査が完了した時点で、ステップ１０８に進み、図５（ａ）に示すように、リードの付け根から先端までの各走査位置[pixel] のリード幅検出値Ｗの差分［Ｗ(i-1) −Ｗ(i) ］を算出する。この後、ステップ１０９に進み、各走査位置[pixel] のリード幅検出値Ｗの差分［Ｗ(i-1) −Ｗ(i) ］が所定のしきい値以内であるか否かを判定し、図５（ｂ）に示すように、リード幅検出値Ｗの差分［Ｗ(i-1) −Ｗ(i) ］がしきい値を超える走査位置[pixel] のリード幅検出有効フラグを無効「０」に切り替える。      
【００３４】
以上の処理により１本のリードについて、リード幅検出有効フラグが連続して有効「１」となる区間をリード幅安定区間として検出した後、ステップ１１０に進み、全てのリードについてリード幅安定区間の検出処理が完了したか否かを判定し、この検出処理が完了していなければ、上述したステップ１０２〜１０９の処理を繰り返し、次に選択したリードについてリード幅安定区間を検出する。
【００３５】
この後、全てのリードについてリード幅安定区間の検出処理が完了した時点で、ステップ１１１に進み、各リードについて、リード幅検出有効フラグが連続して有効「１」となるリード幅安定区間の中から、最も長いリード幅安定区間を有効なリード幅安定区間として選択する。
【００３６】
この後、ステップ１１２に進み、各リードについて、リード幅安定区間の中央の位置をリード幅検出位置として決定する。このリード幅検出位置は、リード長、リードピッチ等のデータと共に電子部品画像認識用の部品データとして記憶装置１５に保存される。この後は、画像データ取り込み手段１２により取り込んだ同種の電子部品の画像データに基づいて当該電子部品を認識する際に、記憶装置１５に記憶されているリード幅検出位置でリード幅を検出する。この場合、どの様な形状のリードであっても、そのリードのリード幅安定区間内にリード幅検出位置が設定されているため、リードの形状を問わず、リード幅を安定して精度良く検出することができる。
【００３７】
以上説明した本実施例１によれば、リードの長さ方向に関するリード幅検出値のプロファイルを作成し、このリード幅検出値のプロファイルに基づいてリード幅検出値が連続してほぼ一定となるリード幅安定区間を検出し、このリード幅安定区間内でリード幅検出位置を決定するようにしたので、屈曲した立体的形状のリードや、部分的に膨らみのある形状等、リードの形状がどの様な形状であっても、そのリードの中でリード幅を安定して精度良く検出できる区間（リード幅安定区間）を自動的に検出することができ、リード幅を安定して検出しやすい位置にリード幅検出位置を自動的に設定することができる。
【００３８】
しかも、本実施例１では、リード幅安定区間を検出する際に、１つのリードについて複数のリード幅安定区間を検出したときには、最も長いリード幅安定区間のみを有効なリード幅安定区間とするようにしたので、リード幅を最も安定して検出しやすい区間をリード幅安定区間とすることができる。
【実施例２】
【００３９】
図１０及び図１１に示す本発明の実施例２では、リード幅検出値が連続してほぼ一定となる区間においてリード両側のエッジ画像の明瞭度合（以下「エッジ強度」という）を評価してそのエッジ強度が所定のしきい値以下となる区間をリード幅安定区間から除外するようにしている。ここで、エッジ強度は、エッジ画像と背景画像との輝度差（濃度差）等を検出すれば良い。
【００４０】
一般に、リードの水平に真っ直ぐに延びる直線部分では、照明光の反射状態が均一になってリード両側のエッジ強度がほぼ均一に強くなるため、エッジ強度が低下する部分は、照明光の反射状態が変化する屈曲部分である可能性があり、このような部分では、リード幅を安定して検出できない可能性がある。
【００４１】
そこで、本実施例２では、図１０のリード幅検出位置決定プログラムを実行することで、リード幅検出値が連続してほぼ一定となる区間であっても、エッジ強度が低下する区間をリード幅安定区間から除外するようにしている。
【００４２】
この図１０のリード幅検出位置決定プログラムは、前記実施例１で説明した図２のリード幅検出位置決定プログラムのステップ１０６とステップ１０９の次にそれぞれステップ１０６ａとステップ１０９ａの処理を追加したものである。すなわち、ステップ１０６で、リード幅を検出した後、ステップ１０６ａに進み、リードの付け根から先端までの各走査位置[pixel] のエッジ強度を検出して、図１１（ｃ）に示すように、当該リードの付け根から先端までの各走査位置[pixel] のエッジ強度を連ねたプロファイルを作成する。
【００４３】
また、ステップ１０９で、図１１（ｂ）に示すように、リード幅検出値Ｗの差分［Ｗ(i-1) −Ｗ(i) ］が所定のしきい値を超える走査位置[pixel] のリード幅検出有効フラグを無効「０」に切り替えた後、ステップ１０９ａに進み、各走査位置[pixel] のエッジ強度が所定のしきい値以下であるか否かを判定し、図１１（ｄ）に示すように、エッジ強度がしきい値以下となる走査位置[pixel] のリード幅検出有効フラグを無効「０」に切り替える。これ以外の処理は、図２のリード幅検出位置決定プログラムの各ステップの処理と同じである。
【００４４】
以上説明した本実施例２では、リード幅検出値が連続してほぼ一定となる区間であっても、エッジ強度が低下する区間をリード幅安定区間から除外するようにしたので、リード幅をより安定して検出しやすいエッジ強度の高い区間のみをリード幅安定区間とすることができる。
【図面の簡単な説明】
【００４５】
【図１】本発明の実施例１で使用するリード幅検出位置決定装置の構成を示すブロック図である。
【図２】本発明の実施例１のリード幅検出位置決定プログラムの処理の流れを示すフローチャートである。
【図３】リード幅検出有効フラグを初期化したときの状態を示す図である。
【図４】リード幅検出値のプロファイルの一例を示す図である。
【図５】（ａ）はリード幅検出値の差分のプロファイルの一例を示す図であり、（ｂ）はリード幅検出値の差分がしきい値を超える走査位置[pixel] のリード幅検出有効フラグを無効「０」に切り替えたときの一例を示す図である。
【図６】リードの屈曲部分Ａが暗く写ってエッジと背景の画像の輝度差が小さくなったリードの画像を模式的に示す図である。
【図７】中間部に膨らみのある形状のリードの画像を模式的に示す図である。
【図８】先端部に膨らみのある形状のリードの画像を模式的に示す図である。
【図９】従来のリード幅検出位置の決定方法を説明する図である。
【図１０】本発明の実施例２のリード幅検出位置決定プログラムの処理の流れを示すフローチャートである。
【図１１】（ａ）はリード幅検出値の差分のプロファイルの一例を示す図であり、（ｂ）はリード幅検出値の差分がしきい値を超える走査位置[pixel] のリード幅検出有効フラグを無効「０」に切り替えたときの一例を示す図であり、（ｃ）はエッジ強度のプロファイルの一例を示す図であり、（ｄ）はエッジ強度がしきい値以下となる走査位置[pixel] のリード幅検出有効フラグを無効「０」に切り替えたときの一例を示す図である。
【符号の説明】
【００４６】
１１…コンピュータ（プロファイル作成手段，リード幅安定区間検出手段，リード幅検出位置決定手段）、１２…画像データ取り込み手段、１３…入力装置、１４…表示装置、１５…記憶装置（記憶手段）
【図１】
0004596324.tif 000002
【図２】
0004596324.tif 000003
【図３】
0004596324.tif 000004
【図４】
0004596324.tif 000005
【図５】
0004596324.tif 000006
【図６】
0004596324.tif 000007
【図７】
0004596324.tif 000008
【図８】
0004596324.tif 000009
【図９】
0004596324.tif 000010
【図１０】
0004596324.tif 000011
【図１１】
0004596324.tif 000012